(57)【要約】【課題】  ポケットの上辺を大きく開口させることができ、かつポケットの上辺の形状を保つことができるポケット付き椅子を提供すること。【解決手段】  前後方向に列設されて使用される椅子１の背面に、略矩形状を成す布状部材８を用いて上辺が開口されるポケット４が形成されたポケット付き椅子１において、前記布状部材８の左右側辺の少なくとも上部には、前方側に折曲された側辺マチ部２２が形成され、かつ前記布状部材８の上辺に沿って伸縮可能な紐材１４が取り付けられており、前記側辺マチ部８が、ネジ１７によって前記椅子１の背面に螺着されるとともに、前記紐材１４の左右端部が、前記ネジ１７に係合される。【選択図】  図２
2006149511.tif 000002
【特許請求の範囲】
【請求項１】
前後方向に列設されて使用される椅子の背面に、略矩形状を成す布状部材を用いて上辺が開口されるポケットが形成されたポケット付き椅子において、
前記布状部材の左右側辺の少なくとも上部には、前方側に折曲された側辺マチ部が形成され、かつ前記布状部材の上辺に沿って伸縮可能な紐材が取り付けられており、前記側辺マチ部が、ネジによって前記椅子の背面に螺着されるとともに、前記紐材の左右端部が、前記ネジに係合されることを特徴とするポケット付き椅子。
【請求項２】
前記布状部材の上辺には、左右方向を向く中空部が形成され、前記紐材が前記中空部内に挿設されるとともに、前記中空部内から前記紐材の左右端部を前方側に突出させるための通孔が、前記ネジの螺着位置よりも内方側に穿設されていることを特徴とする請求項１に記載のポケット付き椅子。
【請求項３】
前記側辺マチ部が中空状に形成されており、該側辺マチ部内に、前記ネジが挿通される挿通孔が設けられた板部材が挿設されることを特徴とする請求項１または２に記載のポケット付き椅子。
【請求項４】
前記側辺マチ部が、前記布状部材の左右側辺の全長に渡って形成されるとともに、前記板部材の上下方向の長さが、前記側辺マチ部内の上下方向の長さと略同一に形成されており、前記紐材が係合されるネジ以外のネジが挿通される挿通孔が、前記板部材の下部に設けられ、前記側辺マチ部の上部及び下部が、ネジによって前記椅子の背面に螺着されることを特徴とする請求項３に記載のポケット付き椅子。
【請求項５】
前記布状部材の左右両側辺に、上下方向を向く芯部材が取り付けられることを特徴とする請求項１ないし４のいずれかに記載のポケット付き椅子。
【発明の詳細な説明】
【技術分野】
【０００１】
本発明は、主に車両や航空機等の客室内において、前後方向に列設されて使用される椅子の背面にポケットを設けたポケット付き椅子に関する。
【背景技術】
【０００２】
従来、この種の座席の背面などに配置されるポケットには、矩形状に形成されたネットの三辺の周縁を略コ字形状の支持部材に縫着あるいは溶着することで結合させ、その支持部材を座席の背面の所定面に固着された略コ字形状のフレームに取り付けることで、座席の背面にポケットを形成するようにしているものがあり、このポケットの開口部におけるネットの周縁に伸縮可能な紐体を設け、更にこの紐体の両端部に設けた係止部をフレームの開口端に設けられた止め溝に掛け止めることで、紐体がポケットの開口部の形状を保つようにしている（例えば、特許文献１参照）。
【０００３】
また、自動車のシートバックのポケット構造において、ポケットの開口縁部内に沿って長尺状の合成樹脂製の芯プレートを装入して、この芯プレートの左右両端部を折曲可能に形成し、ポケットの開口縁部を後方に引いて開口させる際に、開口縁部内に装入されたプレートの両端部が折曲されることで、開口縁部の形状を保持するようにしているものがある（例えば、特許文献２参照）。
【０００４】
【特許文献１】特開２０００−３１６６６９号公報（第３頁、第１図）
【特許文献２】特開２００１−２１１９６７号公報（第２頁、第６図）
【発明の開示】
【発明が解決しようとする課題】
【０００５】
しかしながら、特許文献１にあっては、ポケットの開口部（上辺）に設けられた紐体の両端部に設けられた係止部が、ネットの左右端部を支持するフレームに設けられた止め溝に係合されるとともに、ネットの左右端部がフレームに固着されているので、ポケットを開口させる際に、紐体が伸縮可能となっていても、ネットが伸長される長さの伸び幅しか確保できず、ポケットを大きく開口させることができない。尚、ポケットを大きく開口させるために、ネットを伸縮できるようにしたり、ネットにゆとりを持たせたりすると、ポケットの開口部に垂れや皺が発生するようになり、ポケットの見栄えが悪くなる。
【０００６】
また、特許文献２にあっては、ポケット構造の開口縁部（上辺）の形状が芯プレートによって保持されているので、開口縁部が伸縮することができず、かつポケット生地の左右の側辺が、シートバックを構成する表生地に接ぎ合わされており、ポケットを大きく開口させることができない。
【０００７】
本発明は、このような問題点に着目してなされたもので、ポケットの上辺を大きく開口させることができ、かつポケットの上辺の形状を保つことができるポケット付き椅子を提供することを目的とする。
【課題を解決するための手段】
【０００８】
前記課題を解決するために、本発明の請求項１に記載のポケット付き椅子は、
前後方向に列設されて使用される椅子の背面に、略矩形状を成す布状部材を用いて上辺が開口されるポケットが形成されたポケット付き椅子において、
前記布状部材の左右側辺の少なくとも上部には、前方側に折曲された側辺マチ部が形成され、かつ前記布状部材の上辺に沿って伸縮可能な紐材が取り付けられており、前記側辺マチ部が、ネジによって前記椅子の背面に螺着されるとともに、前記紐材の左右端部が、前記ネジに係合されることを特徴としている。
この特徴によれば、布状部材の左右両側辺の上部に形成された前方側に折曲された側辺マチ部が、ネジによって椅子の背面に螺着されることで、ポケットを開口させる際に、布状部材の左右両側辺を椅子の背面から離せるようになり、ポケットを大きく開口させることができる。かつ布状部材の上辺に沿って取り付けられた伸縮可能な紐材の左右端部が、椅子の背面に取り付けられたネジに係合されることで、紐材が椅子の背面に直接固着されることとなり、別途ポケットの上辺の形状を保つためのフレーム等の部材を使用することなく、紐材を張設してポケットの上辺の形状を保つことができる。また、布状部材の前方側に折り曲げられた側辺マチ部にネジが設けられるので、ポケットを椅子の背面に取り付けた際に、ネジが布状部材によって椅子の背面に直接露出しないようになり、ポケットの見栄えを向上させることができる。
【０００９】
本発明の請求項２に記載のポケット付き椅子は、請求項１に記載のポケット付き椅子であって、
前記布状部材の上辺には、左右方向を向く中空部が形成され、前記紐材が前記中空部内に挿設されるとともに、前記中空部内から前記紐材の左右端部を前方側に突出させるための通孔が、前記ネジの螺着位置よりも内方側に穿設されていることを特徴としている。
この特徴によれば、布状部材の上辺に設けられた紐材が中空部内に挿設されていることで、紐材は布状部材に固着されることなく、中空部内で自在に伸縮されるようになり、かつ紐材の左右端部が、ネジの螺着位置よりも内方側に穿設された通孔から前方に突出されるので、紐材に初期張力を与えることができる。
【００１０】
本発明の請求項３に記載のポケット付き椅子は、請求項１または２に記載のポケット付き椅子であって、
前記側辺マチ部が中空状に形成されており、該側辺マチ部内に、前記ネジが挿通される挿通孔が設けられた板部材が挿設されることを特徴としている。
この特徴によれば、側辺マチ部が中空状に形成され、その側辺マチ部内に板部材が挿設されることで、ポケットを開口させる際に、側辺マチ部が弛んだり、側辺マチ部がネジの挿通孔から破れることを防ぐことができる。
【００１１】
本発明の請求項４に記載のポケット付き椅子は、請求項３に記載のポケット付き椅子であって、
前記側辺マチ部が、前記布状部材の左右側辺の全長に渡って形成されるとともに、前記板部材の上下方向の長さが、前記側辺マチ部内の上下方向の長さと略同一に形成されており、前記紐材が係合されるネジ以外のネジが挿通される挿通孔が、前記板部材の下部に設けられ、前記側辺マチ部の上部及び下部が、ネジによって前記椅子の背面に螺着されることを特徴としている。
この特徴によれば、側辺マチ部の上下方向の全長に渡って板部材が設けられることで、側辺マチ部の全体が弛まなくなり、更に側辺マチ部の上部及び下部が、ネジによって椅子の背面に螺着されることで、ポケットを大きく開口させても、ポケットの左右側辺に隙間が生じたりすることがなくなる。
【００１２】
本発明の請求項５に記載のポケット付き椅子は、請求項１ないし４のいずれかに記載のポケット付き椅子であって、
前記布状部材の左右両側辺に、上下方向を向く芯部材が取り付けられることを特徴としている。
この特徴によれば、布状部材の左右両側辺の形状が崩れ難くなり、ポケットを大きく開口させてもポケットの全体の形状を保つことができる。
【発明を実施するための最良の形態】
【００１３】
本発明の実施例を以下に説明する。
【実施例】
【００１４】
本発明の実施例を図面に基づいて説明すると、先ず図１は、ポケット付き椅子の全体像を示す斜視図である。図１の符号１は、主に車両や航空機等の客室内において使用される乗客用の椅子であり、この椅子１は、客室内の床面に固定された略Ｔ字形状を成す脚体２の上面に設置されている。１つの脚体２の上面には、２つの椅子１が設置されており、客室内の床面には、同様の形状を成す脚体２が前後方向に列設されて複数設置され、それぞれの脚体２の上面に配置された椅子１が前後方向に列設されている。
【００１５】
図１に示すように、椅子１の背面には、各々の椅子１の後方に配置される椅子１に座る使用者（乗客）が使用するための折畳み式の簡易テーブル３が設けられるとともに、この簡易テーブル３の下方には、新聞や雑誌やペットボトル等の収納物を収納することができるポケット４が設けられている。椅子１の背面には、ポケット４を取り付けるための４つのネジ孔５、６が穿設されており、更に椅子１の背面におけるポケット４の下辺が取り付けられる位置には、長手方向が左右を向く面ファスナー７が接着剤等を用いて固着されている。
【００１６】
次に、椅子１の背面に設けられたポケット４について図２から図５に基づいて詳述すると、図２は、ポケット４を示す分解斜視図であり、図３は、ポケット４を示す正面図であり、４（ａ）は、図３におけるポケット４のＡ−Ａ横断平面図であり、図４（ｂ）は、ポケット４の上辺を開口させた状態を示す横断平面図であり、図５（ａ）は、図３におけるポケット４のＢ−Ｂ縦断側面図であり、図５（ｂ）は、ポケット４の下辺を開口させた状態を示す縦断側面図である。以下、図２及び図３の紙面手前側をポケット４の前方側とし、図４の下方をポケット４の前方側とし、図５の左側をポケット４の前方側として説明する。
【００１７】
図２に示すように、このポケット４は、略矩形状の網で構成された本実施例における布状部材としてのネット部材８を有し、このネット部材８の上辺には、上辺のほぼ全長に渡って布地で構成された帯布９が縫着されており、この帯布９の内部には、布地が折り曲げられることで形成された長手方向が左右方向を向く中空部１０が設けられている。帯布９の中空部１０内及びネット部材８の上辺には、左右方向の長さが中空部１０とほぼ同じ長さを成す芯プレート１１が挿設されている。
【００１８】
この帯布９の前面の左右端部近傍には、通孔１２が穿設されており、この通孔１２には鳩目金具１３が取り付けられている。帯布９の中空部１０内には、ゴム等の材質で形成された伸縮可能な紐材１４が挿設されており、この帯布９の通孔１２から紐材１４の左右端部が通孔１２から前方側に突出されている。
【００１９】
図２及び図３に示すように、紐材１４の左右端部には、紐材１４の端部が屈曲されて止め金１５で係止されることで形成された係合輪１６が設けられており、この係合輪１６には、ネジ１７（六角穴付き低頭ボルト）が挿通される。ネジ１７を係合輪１６に挿通する際に、ネジ１７と紐材１４との間には、座金部材１９と係合部材２１が設けられ、係合部材２１は座金部材１９とほぼ同一形状を成し、係合部材２１は座金部材１９よりも大きな直径を有している。紐材１４の左右端部に形成された係合輪１６の内径は、係合部材２１の外径よりも小さくなるように形成されており、そのため紐材１４の左右端部が係合部材２１を介してネジ１７と係合されるようになっている。
【００２０】
図２及び図３に示すように、ネット部材８の左右側辺には、それぞれの側辺のほぼ全長に渡って略矩形状の布地で構成された側辺マチ部２２が縫着されており、この側辺マチ部２２の内部には、布地が袋綴じ状に形成されることで、長手方向が上下方向を向く中空部２３が設けられている。
【００２１】
この側辺マチ部２２はポケット４の前方側に折り曲げられており、側辺マチ部２２の中空部２３には、上下方向の長さが中空部２３とほぼ同じ長さの略矩形状を成す板部材２４が挿設される。板部材２４の上下両端は、側辺マチ部２２を突き破らないように、丸みを帯びた形状になっている。この板部材２４の上方と下方に位置する側辺マチ部２２の箇所は、左右方向に縫われており、そのため板部材２４が、側辺マチ部２２内で上下方向に移動しないようになっている。
【００２２】
図２及び図３に示すように、板部材２４の上部及び下部には、ネジ１７、１８が挿通される挿通孔２５、２６が設けられるとともに、側辺マチ部２２の上部及び下部にも、板部材２４に設けられた挿通孔２５、２６に対応する位置に、ネジ１７、１８が挿通される挿通孔２７、２８が形成されている。板部材２４が側辺マチ部２２内に挿設され、板部材２４及び側辺マチ部２２に設けられた挿通孔２５、２６、２７、２８に後方側からネジ１７、１８が挿通できる。
【００２３】
また図２及び図３に示すように、側辺マチ部２２の中空部２３におけるネット部材８が縫着される位置には、上下方向を向く本実施例における芯部材としての芯棒２９が挿設されている。芯棒２９の上下両端は、側辺マチ部２２を突き破らないように屈曲されている。この芯棒２９の側方に位置する側辺マチ部２２の箇所は、上下方向に縫われており、そのため芯棒２９が、側辺マチ部２２内で左右方向に移動しないようになっている。この芯棒２９がネット部材８の左右両側辺に設けられていることで、ポケットを開閉させる際に、ネット部材８の側辺の形状を保つことができ、ポケット４全体の形状が崩れ難くなっている。
【００２４】
更に図３に示すように、側辺マチ部２２の上辺には、テーパ２２ａが形成されており、そのため側辺マチ部２２がネット部材８の前方側に折り曲げられた状態であっても、側辺マチ部２２の上辺が、ポケット４の上辺から突出しないようになっている。
【００２５】
図２及び図４（ａ）及び図５（ａ）に示すように、側辺マチ部２２及び板部材２４の下部に設けられた挿通孔２６、２８には、座金部材２０を介してネジ１８が挿通されるとともに、側辺マチ部２２及び板部材２４の上部に設けられた挿通孔２５、２７には、紐材１４が係合されたネジ１７が挿通され、それぞれのネジ１７、１８が、椅子１の背面のネジ孔５、６に螺着されることで、ネット部材８が椅子１の背面に取り付けられる。
【００２６】
そして、図１に示すように、ネット部材８の前方側に折り曲げられた側辺マチ部２２にネジ１７、１８が設けられるので、ポケット４を椅子１の背面に取り付けた際に、ネジ１７、１８がネット部材８によって椅子１の背面に直接露出しないようになり、ポケット４の見栄えを向上させることができる。
【００２７】
また図４（ａ）に示すように、椅子１の背面にネジ１７、１８が螺着されたときに、ネジ１７、１８と係合部材２１との間に紐材１４の係合輪１６が挟み込まれるようになっており、強固に紐材１４が椅子１の背面に固着される。
【００２８】
図２及び図５に示すように、ネット部材８の下辺には、下辺のほぼ全長に渡って略矩形状の布地で構成された下辺マチ部３０が縫着されており、この下辺マチ部３０の内部には、布地が袋綴じ状に形成されることで、長手方向が左右方向を向く中空部３１が設けられている。この下辺マチ部３０はポケット４の前方側に折り曲げられており、下辺マチ部３０の中空部３１には、左右方向の長さが中空部３１とほぼ同じ長さを成す芯プレート３２が挿設される。
【００２９】
図３及び図４に示すように、側辺マチ部２２は、下辺マチ部３０よりも前方側に重なっており、折曲された下辺マチ部３０の前方側には、面ファスナー３３が縫着されている。この面ファスナー３３は、側辺マチ部２２の内端部よりも内方側の下辺マチ部３０の前面側の領域に設けられている。そのため下辺マチ部３０と側辺マチ部２２とが重なる部位に、面ファスナー３３を設けないようにでき、使用する面ファスナー３３の長さが短くて済むようになり、製造時に使用する面ファスナー３３のコストを低減させることができる。
【００３０】
また、図１に示すように、ポケット４が椅子１の背面にネジ１７、１８を用いて取り付けられた際に、下辺マチ部３０の面ファスナー３３は、椅子１の背面に接着された面ファスナー７に接合されるようになっている。
【００３１】
図４（ａ）に示すように、ネット部材８の上辺に配置されている帯布９に設けられた通孔１２は、ネジ１７が椅子１の背面に螺着される位置よりも内方側の位置に設けられており、紐材１４の左右端部が、ネジ１７の螺着位置よりも内方側から前方に突出されている。
【００３２】
ポケット４が椅子１の背面に取り付けられた状態では、中空部１０に挿設された紐材１４が、椅子１の背面に直接固着されているので、ネット部材８の上辺の形状が、紐材１４に沿って保持されるようになっている。そのため別途ネット部材８の上辺の形状を保つためのフレーム等の部材を使用することなくネット部材８の上辺の形状が保たれる。また、強い張力を有する紐材１４を張設することもできるようになり、紐材１４の張力を強くすることで、ネット部材８の上辺で収納物を挟み込んで保持することもできるようになる。
【００３３】
次に、ポケット４の使用例について図４及び図５を参照して説明すると、図４（ｂ）に示すように、使用者がネット部材８の上辺の中央部を掴んで後方に引くと、ネット部材８の上辺に芯プレート１１が配置されているため、ネット部材８の上辺の左右方向全体が後方に移動されてポケット４の上辺が開口される。
【００３４】
また図４（ｂ）に示すように、ネット部材８は、側辺マチ部２２の付け根を介して椅子１の背面に取り付けられているので、ポケット４の上辺が開口される際に、ネット部材８の左右側辺を、椅子１の背面から所定間隔Ｄを開けて離せるようになっており、この所定間隔Ｄ分だけ、ネット部材８の上辺を後方に引けるようになる。そのためポケット４が大きく開口される。
【００３５】
更に図４（ｂ）に示すように、ネット部材８の上辺に縫着された帯布９内の中空部１０に紐材１４が挿設されていることで、紐材１４はネット部材８に対して固着されることなく、中空部１０内で自在に左右方向に伸縮されるようになっている。かつ帯布９の通孔１２が、ネジ１７の螺着位置よりも内方側の位置に設けられ、紐材１４の左右端部が、ネジ１７の螺着位置よりも内方側から前方に突出されていることで、紐材１４に初期張力を容易に設定できる。
【００３６】
そして、図４（ｂ）に示すように、側辺マチ部２２内に中空部２３が形成され、その側辺マチ部２２の中空部２３内に板部材２４が挿設されていることで、ポケット４を開口させる際に、側辺マチ部２２全体が弛んだり、側辺マチ部２２がネジ１７、１８の挿通孔２７、２８から破れることを防ぐことができ、かつ側辺マチ部２２の上部及び下部が、ネジ１７、１８によって椅子１の背面に螺着されることで、ポケット４を大きく開口させても、ポケット４の左右側辺に隙間が生じたりすることがなくなる。
【００３７】
図５（ａ）に示すように、ポケット４がネジ１７、１８によって椅子１の背面に取り付けられると、下辺マチ部３０の前面側に設けられた面ファスナー３３と、椅子１の背面に設けられた面ファスナー７が接合される。更に、この面ファスナー７、３３同士は自在に脱着できるようになっている。使用者がポケット４の上辺から収納物を収納した際には、ネット部材８と下辺マチ部３０との間に収納物の下端が当接されて保持されるようになっている。
【００３８】
また、長期間ポケット４を使用していると、ネット部材８と下辺マチ部３０との間に埃やゴミ等が溜まるようになる。次に、ポケット４に溜まった埃やゴミ等の取り除き方について説明する。図５（ｂ）に示すように、ポケット４内に溜まった埃やゴミ等を取り除く際には、使用者がネット部材８の下辺の中央部を掴んで後方に引くと、椅子１の背面に設けられた面ファスナー７から下辺マチ部３０に設けられた面ファスナー３３が引き離され、ポケット４の下辺が開口される。
【００３９】
また、下辺マチ部３０の面ファスナー３３を、椅子１の背面の面ファスナー７から引き離す際に、下辺マチ部３０の形状が芯プレート３２によって保持されていることで、ポケット４の下辺の中央部（一部分）を掴んで後方に引くだけで、下辺マチ部３０の左右方向の全体の面ファスナー３３が、椅子１の背面の面ファスナー７から離れるようになっている。
【００４０】
更に図５（ｂ）に示すように、ネット部材８及び下辺マチ部３０は、側辺マチ部２２の付け根を介して椅子１の背面に取り付けられているので、下辺マチ部３０を椅子１の背面から引き離す際に、下辺マチ部３０の左右側端を、椅子１の背面から離せるようになっており、側辺マチ部２２が設けられている分だけ、ポケット４の下辺が大きく開口される。
【００４１】
そして、ポケット４の下辺を引いた状態で、下辺マチ部３０の上端を下方に捲るようにすると、ネット部材８と下辺マチ部３０との間に溜まった埃やゴミ等が、ポケット４の下方に落ちるようになっている。
【００４２】
椅子１の背面と下辺マチ部３０の前面とが、互いに脱着可能な面ファスナー７、３３によって取り付けられていることで、下辺マチ部３０を椅子１の背面から引き離すことができ、ポケット４全体を椅子１の背面から取り外すことなく、ポケット４内部に溜まった埃やゴミ等を、ポケット４の下辺から下方に落として容易に除去することができる。
【００４３】
尚、清掃作業者が、ネット部材８の上辺と下辺の両方を掴んで後方に引くと、側辺マチ部２２の付け根を介してネット部材８が椅子１の背面に取り付けられていることで、ネット部材８全体が後方に大きく椅子１の背面から引き離され、ポケット４の上辺の開口から清掃作業者が手を挿入して、ポケット４の下辺に溜まった埃やゴミ等を、ポケット４の下辺から下方に落とすこともできる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、側辺マチ部２２が、ネット部材８の側辺の上下方向の全長に渡って設けられていたが、これに限るものではなく、側辺マチ部２２がネット部材８の側辺における上部のみに設けられていても、ポケット４を開口させる際に、ネット部材８の上辺の左右両端部を、椅子１の背面から引き離すことができるので、ポケット４の上辺を大きく開口させることができる。
【００４６】
また、前記実施例では、座金部材１９とほぼ同一形状を成す係合部材２１を用いて、この係合部材２１を、紐材１４の左右端部に形成された係合輪１６に係合されることで、紐材１４がネジ１７に係合されるようにしていたが、これに限らず、座金部材の側方からフック等を延設させ、このフックに紐材１４の係合輪１６を係止させて、紐材１４をネジ１７に係合させるようにしてもよい。
【図面の簡単な説明】
【００４７】
【図１】ポケット付き椅子の全体像を示す斜視図である。
【図２】ポケットを示す分解斜視図である。
【図３】ポケットを示す正面図である。
【図４】（ａ）は、図３におけるポケットのＡ−Ａ横断平面図であり、（ｂ）は、ポケットの上辺を開口させた状態を示す横断平面図である。
【図５】（ａ）は、図３におけるポケットのＢ−Ｂ縦断側面図であり、（ｂ）は、ポケットの下辺を開口させた状態を示す縦断側面図である。
【符号の説明】
【００４８】
１                椅子
４                ポケット
７                面ファスナー
８                ネット部材（布状部材）
１０              中空部
１２              通孔
１４              紐材
１７、１８        ネジ
２２              側辺マチ部
２３              中空部
２４              板部材
２５、２６        挿通孔
２７、２８        挿通孔
２９              芯棒（芯部材）
３０              下辺マチ部
３１              中空部
３２              芯プレート
３３              面ファスナー
【図１】
2006149511.tif 000003
【図２】
2006149511.tif 000004
【図３】
2006149511.tif 000005
【図４】
2006149511.tif 000006
【図５】
2006149511.tif 000007